(57)【特許請求の範囲】
【請求項１】
入力された文字情報を文字データに変換する信号処理装置と、外部に露出して設けられ前記信号処理装置で変換された前記文字データを文字に表示する液晶表示装置と、信号を記録する記録媒体とを収納した記録用カセットの情報記録装置であって、前記記録用カセットの基準方向に対する角度と出力とが比例し、それぞれの基準方向が相違するように設けられた複数の水平センサーと、これら水平センサーの出力と基準値とを比較し、前記記録用カセットの配置がその長手方向が水平に位置する横置きか、その長手方向が垂直に位置する縦置きかを判定するコンパレータと、このコンパレータの判定で、前記記録用カセットの配置が横置きから縦置きに変った場合、あるいは、縦置きから横置きに変った場合に、前記液晶表示装置に表示する文字の向きを変える液晶駆動回路とを具備した記録用カセットの情報記録装置。
【請求項２】
信号処理装置で変換された文字データを記憶する記憶装置が設けられた請求項１記載の記録用カセットの情報記録装置。
【請求項３】
信号処理装置に文字情報を入力する入力装置が設けられた請求項１記載の記録用カセットの情報記録装置。
【請求項４】
記録用カセットが密閉された容器で構成され、前記容器の一部に光を透過する入力窓が設けられた請求項１記載の記録用カセットの情報記録装置。
【請求項５】
記録媒体が半導体記録装置である請求項１記載の記録用カセットの情報記録装置。
【請求項６】
前記液晶駆動回路は、前記液晶表示装置に表示する文字の上下と前記記録用カセットの上下が一致するように前記液晶表示装置に表示する文字の向きを変える請求項１記載の記録用カセットの情報記録装置。
【発明の詳細な説明】
【０００１】
【発明の属する技術分野】
この発明は、映像信号や音声信号などを記録する記録用カセットの情報記録装置に関する。
【０００２】
【従来の技術】
映像信号や音声信号などを記録する情報記録装置は、これまで、放送用あるいは一般家庭用などに広く利用されている。たとえば、テレビや映画などの映像信号を記録する情報記録装置としてＶＴＲカセットテープが利用されている。また、音楽などの音声信号を記録する情報記録装置として音声カセットテープが利用されている。
【０００３】
これらの情報記録装置は、映像信号や音声信号などを記録した場合、通常、記録した内容を示すタイトルや記録した年月日、記録時間、記録媒体の残り時間、記録した回数、記録した者など、記録内容に関連する情報が目に見えるようにして保管される。たとえば、これらの関連情報をラベルに文字で記入し、記録媒体であるカセットテープ本体やカセットテープ本体を保護するケースなどにラベルを貼りつけている。
【０００４】
【発明が解決しようとする課題】
従来の情報記録装置は、記録内容に関連する情報を表示する場合、上記したように、関連情報をラベルに文字で記入し、そのラベルをカセットテープ本体やケースに張り付けている。このため、関連情報をラベルに記入する作業、あるいは、カセットテープ本体やケースにラベルを張り付ける作業などがあり、煩雑になっている。また、すでに表示されている関連情報を変更する場合は、関連情報の書き替え作業やラベルの張り替え作業などが必要となる。
【０００５】
また、関連情報をラベルに文字で表示した場合、カセットテープ本体などに対し文字の上下が一義的に決定される。したがって、ラベルを張り付けた後に、カセットテープ本体やケースの配置を縦方向から横方向に変更し、あるいは、横方向から縦方向に変更した場合、文字の上下が横向きになったり、逆さまになったりして、判読が困難になる。
【０００６】
この発明は、上記した欠点を解決するもので、関連情報の表示作業や文字の判読が容易な記録用カセットの情報記録装置を提供することを目的としている。
【０００７】
【課題を解決するための手段】
本発明の記録用カセットの情報記録装置は、入力された文字情報を文字データに変換する信号処理装置と、外部に露出して設けられ前記信号処理装置で変換された前記文字データを文字に表示する液晶表示装置と、信号を記録する記録媒体とを収納した記録用カセットの情報記録装置であって、前記記録用カセットの基準方向に対する角度と出力とが比例し、それぞれの基準方向が相違するように設けられた複数の水平センサーと、これら水平センサーの出力と基準値とを比較し、前記記録用カセットの配置がその長手方向が水平に位置する横置きか、その長手方向が垂直に位置する縦置きかを判定するコンパレータと、このコンパレータの判定で、前記記録用カセットの配置が横置きから縦置きに変った場合、あるいは、縦置きから横置きに変った場合に、前記液晶表示装置に表示する文字の向きを変える液晶駆動回路とを具備している。
【０００８】
【発明の実施の形態】
この発明の実施形態について図１を参照して説明する。符号１１は、映像信号や音声信号を記録するための記録用カセットで、半導体記録装置などの記録媒体が内部に収納されている。その形状は直方体で、外側は長方形状の６つの壁から構成されている。また、記録用カセット１１は、ほこりやごみなどが外部から入らないように、全体が密閉された構造になっている。
【０００９】
記録用カセット１１の外部に露出した壁面、たとえば背面に液晶表示装置１２が設けられている。液晶表示装置１２は、文字などを表示する表示部分が階層的に複数の層で構成され、文字を表示する層が切り替えられる構造になっている。そして、これらの表示部分を利用して、記録内容に関連する情報、たとえば、タイトルや記録した年月日、記録した時間、記録媒体の残り時間、記録した回数、記録した者などが表示される。図１では、表示部分のたとえば最上層に表示されたタイトル１３および記録した年月日１４が示されている。
【００１０】
また、記録用カセット１１の内部には、集積度の高い半導体を利用した半導体記録装置の他に、液晶表示装置１２に関連情報を表示するための電気回路などが収納されている。
【００１１】
記録用カセット１１の壁面の一部に光を透過する入力窓１５が設けられている。そして、外部から供給される信号は、光信号として入力窓１５を通り、記録用カセット１１内部の電気回路に入力する構成になっている。
【００１２】
また、記録用カセット１１背面の図の右端に２つのスイッチＳＷ１、ＳＷ２が設けられている。一方のスイッチＳＷ１は、階層的に設けられた液晶表示装置１２の表示部分のうち、文字を表示させる層を切り替える場合に使用される。もう一方のスイッチＳＷ２は、夜間などにバックライトを点灯する場合に使用される。
【００１３】
次に、記録用カセット１１の液晶表示装置１２に、タイトル１３や記録年月日１４など関連情報を表示する構成について図２を参照して説明する。
【００１４】
符号２１は情報入力装置で、情報入力装置２１の一部に開口２２が設けられている。この開口２２部分に記録用カセット１１が図１の矢印Ｙ方向に挿入されセットされる。情報入力装置２１には、タイトル１３や記録年月日１４など関連情報を表示する文字や数字などの文字情報を入力するための入力装置、たとえばキーボード装置２３が設けられている。
【００１５】
上記した構成において、キーボード装置２３から、タイトル１３や記録年月日１４などを表示するための文字情報が入力される。入力された文字情報は、情報入力装置２１内に設けられた入力インタフェース（図示せず）を経て、たとえば光信号に変換され、記録用カセット１１の入力窓１５を通して、記録用カセット１１内の電気回路に入力される。
【００１６】
ここで、記録用カセット１１の液晶表示装置１２に関連情報を表示する動作について図３を参照して説明する。図３は、図１や図２に対応する部分には同一の符号を付し、重複する説明は一部省略する。
【００１７】
まず、キーボード装置２３から、液晶表示装置１２に表示するタイトル１３や記録年月日１４などの文字情報が入力される。入力された文字情報は、情報入力装置２１に設けられた入力インタフェース２４を経て、記録用カセット１１内の信号処理装置３１、たとえば中央処理装置（ＣＰＵ）に入力する。信号処理装置３１に入力した文字情報は処理され、文字データに変換される。
【００１８】
その後、信号処理装置３１は、変換した文字データをメモリー３２に書き込む。同時に、液晶駆動回路３３を制御し、タイトル１３や記録年月日１４などの文字を液晶表示装置１２に表示させる。
【００１９】
上記した構成において、複数の水平センサー３４ａ〜３４ｎがコンパレータ３５を介して信号処理装置３１に接続されている。複数の水平センサー３４ａ〜３４ｎは記録用カセット１１内に収納され、記録用カセット１１が、図１のようにその長手方向が水平に位置する横置きであるか、あるいは、図４のようにその長手方向が垂直に位置する縦置きであるかなど、記録用カセット１１の配置の向きを検出している。図４では、図１に対応する部分に同一の符号を付し、重複する説明は省略する。
【００２０】
たとえば水平センサー３４ａ〜３４ｎは、図５の直線Ｐに示すように、基準方向に対する角度（横軸）と出力（縦軸）とが比例する関係になっている。水平センサー３４ａ〜３４ｎの出力はコンパレータ３５に入力され、基準値Ｔと比較される。この比較で、出力が基準値Ｔよりも大きい場合は、記録用カセットの配置は基準方向に対してたとえば直角、出力が基準値Ｔよりも小さい場合は基準方向に対してたとえば平行と判定する。このようにして、記録用カセット１１の置かれた向き、たとえば横置きであるか、縦置きであるかが常に検出されている。そして、この検出結果は中央処理装置３１に送られる。
【００２１】
中央処理装置３１は、記録用カセット１１が横置きから縦置きに変った場合、あるいは、逆に、縦置きから横置きに変った場合、液晶駆動回路３３を制御する。これにより、液晶表示装置１２に表示される文字の向きを変え、記録用カセット１１の上下と文字の上下とが一致するようにする。
【００２２】
なお、水平センサーが１個であると、記録用カセット１１が置かれた向きによって、記録用カセット１１の向きを検出できない場合がある。そのため、複数の水平センサーを、それぞれの基準方向が相違するように設け、記録用カセット１１がどのような向きに配置されても、いずれかの水平センサーが正常に作動し、記録用カセット１１の向きや、その向きの変更を検出できるようにしている。
【００２３】
また、液晶表示装置１２にすでに表示されている文字を変更する場合は、キーボード装置２３から変更する文字情報が入力される。このとき、信号処理装置３１は、入力された文字情報とメモリー３２に記録されている文字データとを比較する。そして、両者が相違する場合、メモリー３２の記録内容を、入力された文字情報に対応した最新の文字データに変更する。同時に、液晶駆動回路３３を駆動し、液晶表示装置１２に最新の文字を表示する。
【００２４】
また、中央処理装置３１にスイッチＳＷ１が接続されている。液晶表示装置１２の表示部分が階層的に構成されているため、文字を実際に表示する層をスイッチＳＷ１で切り替えできるようになっている。たとえば、スイッチＳＷ１の操作で中央処理装置３１の動作を制御し、表示部分の最上層の文字を表示させ、あるいは、２番目以下の層の文字を表示させる構成になっている。
【００２５】
また、液晶駆動回路３３に接続されたスイッチＳＷ２は夜間用のバックライトの点灯に使用される。バックライトを点灯させれば、液晶表示装置１２に表示された文字を夜間でも読み取ることができる。
【００２６】
なお、記録用カセット１１内には、中央処理装置３１やメモリー３２などの電気回路を動作させるためのバッテリ３６が配置される。バッテリ３６には、小型なリチウムバッテリが適している。しかし、充電タイプのバッテリを使用し、情報入力装置２１から電源を供給する構成にすることもできる。
【００２７】
上記した構成によれば、キーボード装置などを利用して文字情報を入力し、記録用カセットの液晶表示装置に関連情報を表示できる。このため、ラベルに文字を記入したり、ラベルを張り付けたりする作業が不要となり、関連情報の表示が容易になる。また、液晶表示装置に文字が一度表示されても、記録用カセットの向きが変った場合、記録用カセットの上下と文字の上下とが一致するように自動的に変更される。このため、関連情報の文字の判読が容易になる。また、カセット内部にＣＰＵのような信号処理装置が設けられている。このため、必要な情報を即座に表示できる。
【００２８】
なお、上記の実施形態では、情報入力装置にキーボード装置が設けられている。しかし、キーボード装置は独立して構成することもできる。また、半導体記録装置など記録媒体を収納した記録用カセットに液晶表示装置を設けている。しかし、記録用カセットを収納し保護するケース部分に液晶表示装置を設ける構成にすることもできる。
【００２９】
また、記録媒体として半導体記録装置を用いているが、テープ状の記録媒体を用いることもできる。
【００３０】
【発明の効果】
この発明によれば、関連情報の表示および文字などの判読が容易な記録用カセットの情報記録装置を実現できる。
【図面の簡単な説明】
【図１】この発明の実施形態を説明するための概略の構造図である。
【図２】この発明の実施形態を説明するための概略の構造図である。
【図３】この発明の実施形態を説明するための回路構成図である。
【図４】この発明の実施形態を説明するための概略の構造図である。
【図５】この発明の動作を説明するための特性図である。
【符号の説明】
１１…記録用カセット
１２…液晶表示装置
１３…関連情報のタイトル
１４…関連情報の記録年月日
１５…記録用カセットに設けられた入力窓
２１…情報入力装置
２２…情報入力装置の開口
２３…キーボード装置
３１…信号処理装置
３２…メモリー
３３…液晶駆動回路
３４ａ〜３４ｎ…水平センサー
３５…コンパレータ
３６…バッテリ
【図１】
0004322337.tif 000002
【図２】
0004322337.tif 000003
【図３】
0004322337.tif 000004
【図４】
0004322337.tif 000005
【図５】
0004322337.tif 000006